(57)【要約】  改良された殺虫銃が、銃身に接続された薬室に流体接続された圧縮ガス供給源を含む。圧縮ガス解放機構が、圧縮ガス供給源に接続される。発射物格納弾倉が、粒子状発射物を格納し、薬室の近傍に配置される。発射物装填機構が、発射物を弾倉から薬室に移動させる。コッキング機構が、圧縮ガス供給源、圧縮ガス解放機構、および発射物装填機構に機械的に接続される。銃がコックされると、発射物装填機構は、所定量の粒子状発射物を薬室に装填する。圧縮ガス解放機構が作動されると、発射物は、薬室から銃身に吐出され、銃から放出される。銃は、随意にレーザー照準機構を含む。バッテリ駆動式レーザー照準機構は、銃身に取り外し可能に取り付けることができ、または一体型のトリガ操作式スイッチに恒久的に取り付けることができる。【選択図】図１
2019515644.tif 000002
【特許請求の範囲】
【請求項１】
改良された殺虫銃であって、
圧縮ガス供給源と、
前記圧縮ガス供給源に流体的に接続された薬室と、  前記薬室の末端に配置された銃身と、
前記圧縮ガス供給源に接続された圧縮ガス解放機構と、
粒子状発射物を格納し、前記薬室の近傍に配置された発射物格納弾倉と、
前記粒子状発射物を前記弾倉から前記薬室内に移動させる発射物装填機構と、
前記圧縮ガス供給源、前記圧縮ガス解放機構、および前記発射物装填機構に機械的に接続されたコッキング機構と、
前記コッキング機構を利用すると作動位置に移動し、使用者により手動で非作動にされると非作動位置に移動する一次自動安全機構であって、前記一次安全機構の状態が、第１の安全位置から第２の発射位置への一次外部安全レバーの移動により示される、一次自動安全機構と、
前記圧縮ガス供給源、前記圧縮ガス解放機構、前記銃身、前記薬室、前記発射物格納弾倉、前記コッキング機構および前記発射物装填機構を収容し支持する銃床とを備え、
前記コッキング機構により前記銃がコックされると、前記発射物装填機構が、所定量の前記粒子状発射物を集め、前記発射物を前記薬室内に配置し、前記圧縮ガス解放機構が作動されると、前記発射物が、前記薬室から前記銃身内に吐出され、前記銃から放出される、改良された殺虫銃。
【請求項２】
前記コッキング機構を利用すると隠れた位置から見える位置に移動され、前記圧縮ガス解放機構の作動により前記隠れた位置に移動される二次安全標示器をさらに備える、請求項１に記載の改良された殺虫銃。
【請求項３】
前記圧縮ガス供給源は、
充填済みＣＯ２カートリッジ、再充填可能圧縮ガスシリンダ、空気圧送式ガスリザーバ、ばね作動式圧縮ガス室、および外部圧縮ガスラインを含む群から選択される、請求項１に記載の改良された殺虫銃。
【請求項４】
前記ばね作動式圧縮ガス室は、
前端および後端を有し、前記前端で前記薬室に流体的に接続されたシリンダと、
前記シリンダにシール可能に嵌り、前記シリンダ内に配置されたピストンと、  前記ピストンを前記前端に向けて推進する圧縮ばねと、
前記ピストンを前記後端に向けて推進し、前記圧縮ばねを圧縮するばね圧縮機構と、  前記ピストンを前記後端の近傍に解放可能に保持し、前記圧縮ばねを圧縮状態に保持するラッチ機構とをさらに備え、
使用者が前記コッキング機構を操作し、前記ばね圧縮機構が動作され、前記ピストンが前記シリンダの前記後端に向けて推進され、前記ばねが圧縮され、前記ばねおよび前記ピストンが、解放されるまで前記ラッチ機構により保持され、前記ピストンを前記シリンダの前記前端に向けて素早く移動させることを可能にし、前記シリンダ内および接続された前記薬室への圧縮ガスの噴出をもたらす、請求項３に記載の改良された殺虫銃。
【請求項５】
前記圧縮ガス解放機構は、
トリガ戻りばねにより前方に推進されるトリガをさらに備え、
前記トリガは上突起を有し、前記上突起は内部安全ピボットに係合し、前記安全ピボットは、前記コッキング機構の操作が完了しない限り前記ラッチ機構の解放を妨げ、
前記トリガは、前記上突起の後方に配置された押上ランプを有し、前記押上ランプは、前記トリガが後方に移動されると下方推進圧縮ばねに抗して前記ラッチ機構の解放ブラケットを上方に推進し、
前記解放ブラケットは、前記支持銃床の垂直チャネル内で摺動可能に移動し、下向きリブを有し、前記リブは、前記ラッチ機構の主ポールの上向き制御ノッチに解放可能に係合し、
前記主ポールは、前記ピストンに取り付けられ、前記制御ノッチの後ろに配置された上方傾斜ランプを後端に有し、前記ランプは、前記リブを前記制御ノッチ内に案内し、前記主ポールは、前記コッキング機構の操作中に前記支持銃床のチャネル内で後方に移動し、
前記解放ブラケットは、前記リブが前記制御ノッチに係合すると前記主ポールを第１のコック位置に保持し、前記トリガが後方に移動され、前記解放ブラケットを押し上げ、前記制御ノッチから前記リブを持ち上げると、前記主ポールを第２の発射位置に解放し、前記主ポールおよび前記ピストンが、前記圧縮ばねにより推進され前方に移動し、前記シリンダを加圧することを可能にする、請求項４に記載の改良された殺虫銃。
【請求項６】
前記発射物格納弾倉は、
下端に円形穴を有する円錐形容器をさらに備え、  前記下端は、前記薬室を通る垂直円形穴の上端にシール可能に嵌り、
前記容器は、上端に取り外し可能または枢動可能に取り付けられたシール蓋を有する、請求項１に記載の改良された殺虫銃。
【請求項７】
前記下端は、シールワッシャによって、前記薬室を通る前記垂直円形穴の前記上端にシール可能に嵌る、請求項６に記載の改良された殺虫銃。
【請求項８】
前記発射物装填機構は、
前記薬室を通る前記垂直円形穴を通ってシール可能に嵌るようなサイズおよび形状で作られた計量ロッドであって、前記計量ロッドの下端から延びる直交作動バーと、前記作動バーの上方に配置された貫通孔とを有し、前記貫通孔が、前記バーおよび前記計量ロッドに直交し、前記バーが停止面に接して配置されると前記薬室と位置合わせされるようなサイズで作られ位置合わせされるように配置される、計量ロッドをさらに備え、
前記作動バーは、戻り圧縮ばねにより上方に推進されて、前記薬室内の前記垂直円形穴の前記下端に接して静止し、  前記貫通孔は、前記コッキング機構の操作中に前記円錐形容器内で前記薬室の上方に配置されると前記粒子状発射物で満たされ、
前記作動バーは、前記圧縮ガス解放機構の作動直後に、枢着された従属ポールにより下方に推進されて、前記停止面に接して静止し、前記圧縮ガスに前記粒子状発射物を前記薬室から前記銃身を通って吐出させることを可能にする、請求項６に記載の改良された殺虫銃。
【請求項９】
前記発射物装填機構は、
前記弾倉の下端から下方に延びる中央薬室管と、
戻り圧縮ばねの一端のためのストッパを提供する前記管の下部分と、
前記弾倉の下方に配置された軌道ガイドであって、前記管の周りに摺動可能に嵌るようなサイズで作られた中空空洞と、第１の所定距離のために前記下端から下方に延び、停止面で終端する垂直スロットとを有する軌道ガイドとをさらに備え、
前記軌道ガイドは、前記管の周りに配置され、前記発射物格納弾倉を取り付けるための支持プラットホームを提供し、
前記発射物装填機構は、円筒形であり前記管内に摺動可能に嵌るようなサイズで作られた計量ロッドであって、前記計量ロッドの下端から延びる直交作動バーと、前記作動バーの上方に配置された貫通孔とを有し、前記貫通孔が、前記バーおよび前記計量ロッドに直交し、前記バーが前記停止面に接して配置されると前記薬室と位置合わせされるようなサイズで作られ位置合わせされるように配置される、計量ロッドをさらに備え、
前記戻り圧縮ばねは、前記計量ロッドを上方に推進して、前記薬室内で前記垂直円形穴の前記下端に接して静止させ、
前記発射物装填機構は、第１の端および第２の端を有する従属ポールであって、前記圧縮ガス供給源用のカバーに枢着され、前記第１の端が計量スロットを備え、前記計量スロットが前記作動バーを取り囲み、前記第２の端が、前記ガス解放機構が作動するとカムにより上方に推進される、従属ポールをさらに備え、
前記従属ポールの前記第２の端の上方移動が、前記作動バーを下方に移動させ、前記戻り圧縮ばねを圧縮し、前記計量ロッドの前記貫通孔を前記薬室と位置合わせさせ、前記圧縮ガスに前記粒子状発射物を前記薬室から前記銃身を通って駆動させることを可能にし、
前記従属ポールの前記第２の端の下方移動が、前記作動バーを、前記戻り圧縮ばねにより推進させ、上方に移動させ、前記計量ロッドが、前記発射物格納弾倉内に移動し、前記粒子状発射物により取り囲まれると、前記粒子状発射物が前記計量ロッドの前記貫通孔を満たす、請求項８に記載の改良された殺虫銃。
【請求項１０】
前記ばね圧縮機構は、
前記支持銃床のチャネル内に摺動可能に配置された一次ギアラックであって、上面に配置されたギア歯を有し、摺動ハンドルを取り付けるための装着具を前端の近傍に有する一次ギアラックと、
前記シリンダの外カバーに装着された減速ギアドライブと、
前記ピストンに間接的に取り付けられ、前記減速ギアドライブの上方の前記外カバーのスロット内に摺動可能に配置された二次ギアラックとをさらに備え、
前記一次ギアラックは前記減速ギアドライブに係合し、前記減速ギアドライブは前記二次ギアラックに係合し、  前記摺動ハンドルの後方移動が、前記一次ギアラックを後方に移動させ、前記減速ギアドライブを回転させ、前記二次ギアラックを後方に移動させ、前記ピストンを後方に移動させ、前記圧縮ばねを圧縮する、請求項９に記載の改良された殺虫銃。
【請求項１１】
前記計量スロットの真下に前記スロットに直交して配置された下方位置決めカムローブと、
前記一次ギアラックの上面の側縁および前端の近傍に配置されたカム作動タブであって、湾曲した内面を有するカム作動タブとをさらに備え、
前記湾曲した内面は、前記コッキング機構の操作中に前記一次ギアラックが後方および前方に移動されると、前記カムローブの前縁に係合するようなサイズおよび形状で作られ、係合するように配置され、
前記カムローブの係合が、前記コッキング機構の操作中に前記計量ロッドの上方移動と、それに続く前記計量ロッドの下方移動とを生じさせ、そのような移動が、前記計量ロッドに付着した粒子状発射物を除去する役割を果たす、請求項１０に記載の改良された殺虫銃。
【請求項１２】
前記コッキング機構の操作中の前記一次ギアラックの前方移動中における前記カム作動タブによる前記カムローブの係合が、前記操作の完了の聴覚確認を可能にする、請求項１１に記載の改良された殺虫銃。
【請求項１３】
主ポールと共に移動する制御スロットが、前記制御スロットの後方移動中に内部安全ピボットの第１の端を押上位置に維持し、下向きノッチを有する前記ピボットの第２の端を、前記圧縮ガス解放機構のトリガの上端で上突起に係合させ、それにより前記機構の作動を妨げ、
前記制御スロットは、前記一次ギアラックおよび前記制御スロットの前方移動が完了すると、前記内部安全ピボットの下方移動を生じさせ、前記下方移動は、前記トリガからの前記下向きノッチの解放を可能にし、前記ガス解放機構の作動を可能にする、請求項１０に記載の改良された殺虫銃。
【請求項１４】
前記支持銃床は、前記弾倉の近傍に配置された覗窓であって、前記弾倉内に収容された前記粒子状発射物のレベルの視認を可能にする覗窓をさらに備える、請求項１に記載の改良された殺虫銃。
【請求項１５】
前記銃は、充填済みＣＯ２カートリッジを圧縮ガス供給源として使用し、前記銃は、
前記ＣＯ２カートリッジを囲い込むようなサイズおよび形状で作られた円筒形カートリッジ室であって、前記カートリッジを導入するためのシール可能穴を第１の端に有し、第２の端に配置され、前記カートリッジの放出端の周りにシール可能に嵌るようなサイズおよび形状で作られた凹面座部と、前記座部内に配置された中空穿刺針とを有する、円筒形カートリッジ室と、  嵌合ねじ山により前記カートリッジ室に取り外し可能に取り付けられたシールキャップであって、前記キャップを締めることにより前記穿刺針に抗して前記カートリッジが推進される、シールキャップと、
計量装置に流体的に接続された圧力容器とをさらに備え、
前記計量装置は、前記圧縮ガス解放機構が作動すると、所定の充填の圧縮ガスを前記薬室に進入させることを可能にする、請求項３に記載の改良された殺虫銃。
【請求項１６】
前記圧縮ガス解放機構は、
トリガ戻りばねにより前方に推進されるトリガをさらに備え、
前記トリガは上突起を有し、前記上突起は内部安全ピボットに係合し、前記安全ピボットは、前記コッキング動作が完了しない限り前記圧縮ガス解放機構の作動を妨げ、
前記トリガは、前記上突起の後方に配置された押上ランプを有し、前記押上ランプは、前記トリガが後方に移動されると下方推進圧縮ばねに抗して前記ラッチ機構の解放ブラケットを上方に推進し、
前記解放ブラケットは、前記支持銃床の垂直チャネル内で摺動可能に移動し、下向きリブを有し、前記リブは、装填ロッドの上向き制御ノッチに解放可能に係合し、
前記装填ロッドは、装填コイルばねにより前方に推進され、前記制御ノッチの後ろに配置された上方傾斜ランプを後端に有し、前記ランプは、前記リブを前記制御ノッチ内に案内し、前記装填ロッドは、前記コッキング動作中に前記支持銃床のチャネル内で後方に移動し、
前記解放ブラケットは、前記リブが前記制御ノッチに係合すると、前記装填ロッドを第１のコック位置に保持し、前記トリガが後方に移動され、前記解放ブラケットを押し上げ、前記制御ノッチから前記リブを持ち上げると、前記装填ロッドを第２の発射位置に解放し、前記装填ロッドが、前記装填コイルばねにより推進され、前方に移動可能になり、前記装填ロッドは、前記発射物装填機構および前記計量装置を作動させる、請求項１５に記載の改良された殺虫銃。
【請求項１７】
前記銃は、空気圧送式空気リザーバを圧縮ガス供給源として使用し、前記銃は、
入口弁および出口弁を有するガスシリンダと、
前記シリンダ内にシール可能に嵌るピストンと、
前記ピストンに機械的に連結され、前記ピストンを前記シリンダ内で伸張位置から圧縮位置に移動させる圧送機構とをさらに備え、
前記入口弁は、前記ピストンが前記圧縮位置から前記伸張位置に移動するときに開放位置にあり、前記ピストンが前記伸張位置から前記圧縮位置に移動するときに閉鎖位置にあり、
前記出口弁は、前記ピストンが前記圧縮位置から前記伸張位置に移動するときに閉鎖位置にあり、前記ピストンが前記伸張位置から前記圧縮位置に移動するときに開放位置にあり、
前記空気リザーバは、前記出口弁および前記薬室に流体的に接続され、  前記発射物装填機構は、前記圧縮ガス解放機構が作動すると、圧縮ガスの所定の充填を前記薬室に進入させることを可能にし、
前記圧送機構により前記ピストンが前記シリンダ内で前記伸張位置から前記圧縮位置に反復移動することが、前記空気リザーバ内の圧力を高め、前記圧縮ガス解放機構により前記圧力が解放されると、増大した力で前記粒子状発射物を前記薬室から吐出することを可能にする、請求項３に記載の改良された殺虫銃。
【請求項１８】
前記圧縮ガス解放機構は、
トリガ戻りばねにより前方に推進されるトリガをさらに備え、
前記トリガは上突起を有し、前記上突起は内部安全ピボットに係合し、前記安全ピボットは、前記コッキング動作が完了しない限り前記圧縮ガス解放機構の作動を妨げ、
前記トリガは、前記上突起の後方に配置された押上ランプを有し、前記押上ランプは、前記トリガが後方に移動されると下方推進圧縮ばねに抗して前記ラッチ機構の解放ブラケットを上方に推進し、
前記解放ブラケットは、前記支持銃床の垂直チャネル内で摺動可能に移動し、下向きリブを有し、前記リブは、装填ロッドの上向き制御ノッチに解放可能に係合し、
前記装填ロッドは、装填コイルばねにより前方に推進され、前記制御ノッチの後ろに配置された上方傾斜ランプを後端に有し、前記ランプは、前記リブを前記制御ノッチ内に案内し、前記装填ロッドは、前記コッキング動作中に前記支持銃床のチャネル内で後方に移動し、
前記解放ブラケットは、前記リブが前記制御ノッチに係合すると、前記装填ロッドを第１のコック位置に保持し、前記トリガが後方に移動され、前記解放ブラケットを押し上げ、前記制御ノッチから前記リブを持ち上げると、前記装填ロッドを第２の発射位置に解放し、前記装填ロッドが、前記装填コイルばねにより推進され前方に移動可能になり、前記装填ロッドは、前記発射物装填機構を作動させる、請求項１７に記載の改良された殺虫銃。
【請求項１９】
前記銃は、再充填可能圧縮ガスシリンダを圧縮ガス供給源として使用し、前記銃は、
閉止弁と、第１の端の近傍に配置された取り付け具とを有する再充填可能圧縮ガスシリンダと、
前記支持銃床に装着され、計量装置に流体的に接続された嵌合取り付け具とをさらに備え、
前記計量装置は、前記薬室に流体的に接続され、前記計量装置は、前記圧縮ガス解放機構が作動すると、圧縮ガスの所定の充填を前記薬室に進入させることを可能にし、
充填された再充填可能圧縮ガスシリンダは、前記嵌合取り付け具に取り付けられ、前記閉止弁が開放され、前記圧縮ガスは、前記圧縮ガス解放機構が作動すると前記計量装置により解放される、請求項３に記載の改良された殺虫銃。
【請求項２０】
前記圧縮ガス解放機構は、
トリガ戻りばねにより前方に推進されるトリガをさらに備え、
前記トリガは上突起を有し、前記上突起は内部安全ピボットに係合し、前記安全ピボットは、前記コッキング動作が完了しない限り前記圧縮ガス解放機構の作動を妨げ、
前記トリガは、前記上突起の後方に配置された押上ランプを有し、前記押上ランプは、前記トリガが後方に移動されると下方推進圧縮ばねに抗して前記ラッチ機構の解放ブラケットを上方に推進し、
前記解放ブラケットは、前記支持銃床の垂直チャネル内で摺動可能に移動し、下向きリブを有し、前記リブは、装填ロッドの上向き制御ノッチに解放可能に係合し、
前記装填ロッドは、装填コイルばねにより前方に推進され、前記制御ノッチの後ろに配置された上方傾斜ランプを後端に有し、前記ランプは、前記リブを前記制御ノッチ内に案内し、前記装填ロッドは、前記コッキング動作中に前記支持銃床のチャネル内で後方に移動し、
前記解放ブラケットは、前記リブが前記制御ノッチに係合すると、前記装填ロッドを第１のコック位置に保持し、前記トリガが後方に移動され、前記解放ブラケットを押し上げ、前記制御ノッチから前記リブを持ち上げると、前記装填ロッドを第２の発射位置に解放し、前記装填ロッドが、前記装填コイルばねにより推進され前方に移動可能になり、前記装填ロッドは、前記発射物装填機構および前記計量装置を作動させる、請求項１９に記載の改良された殺虫銃。
【請求項２１】
前記銃は、外部圧縮ガスラインを圧縮ガス供給源として使用し、前記銃は、  圧縮ガス供給源に接続された外部圧縮ガスラインであって、閉止弁と、第１の端の近傍に配置された取り付け具とを有する外部圧縮ガスラインと、
前記支持銃床に装着され、計量装置に流体的に接続された嵌合取り付け具とをさらに備え、
前記計量装置は、前記薬室に流体的に接続され、前記計量装置は、前記圧縮ガス解放機構が作動すると、圧縮ガスの所定の充填を前記薬室に進入させることを可能にし、
前記外部圧縮ガスラインは、前記嵌合取り付け具に取り付けられ、前記閉止弁が開放され、前記圧縮ガスは、前記圧縮ガス解放機構が作動すると前記計量装置により解放される、請求項３に記載の改良された殺虫銃。
【請求項２２】
前記圧縮ガス解放機構は、
トリガ戻りばねにより前方に推進されるトリガをさらに備え、
前記トリガは上突起を有し、前記上突起は内部安全ピボットに係合し、前記安全ピボットは、前記コッキング動作が完了しない限り前記圧縮ガス解放機構の作動を妨げ、
前記トリガは、前記上突起の後方に配置された押上ランプを有し、前記押上ランプは、前記トリガが後方に移動されると下方推進圧縮ばねに抗して前記ラッチ機構の解放ブラケットを上方に推進し、
前記解放ブラケットは、前記支持銃床の垂直チャネル内で摺動可能に移動し、下向きリブを有し、前記リブは、前記装填ロッドの上向き制御ノッチに解放可能に係合し、
前記装填ロッドは、装填コイルばねにより前方に推進され、前記制御ノッチの後ろに配置された上方傾斜ランプを後端に有し、前記ランプは、前記リブを前記制御ノッチ内に案内し、前記装填ロッドは、前記コッキング動作中に前記支持銃床のチャネル内で後方に移動し、
前記解放ブラケットは、前記リブが前記制御ノッチに係合すると、前記装填ロッドを第１のコック位置に保持し、前記トリガが後方に移動され、前記解放ブラケットを押し上げ、前記制御ノッチから前記リブを持ち上げると、前記装填ロッドを第２の発射位置に解放し、前記装填ロッドが、前記装填コイルばねにより推進され前方に移動可能になり、前記装填ロッドは、前記発射物装填機構および前記計量装置を作動させる、請求項２１に記載の改良された殺虫銃。
【請求項２３】
前記支持銃床の小銃グリップおよび前アームが平坦下面を有し、前記平坦面は、前記粒子状発射物を前記発射物格納弾倉に加えるための直立位置で、前記殺虫銃がバランスをとることを可能にする、請求項１に記載の改良された殺虫銃。
【請求項２４】
レーザー照準装置をさらに備え、前記レーザー照準装置は、
レーザー照準スポットを生成することができるバッテリ駆動式レーザーと、  前記レーザー、バッテリ電源および前記レーザー用の制御回路を収容するように適合されたハウジングと、
前記レーザー照準装置を前記銃身の末端の近傍に取り付けるように適合された取り付け機構とを備える、請求項５に記載の改良された殺虫銃。
【請求項２５】
前記取り付け機構は、前記銃身の前記末端と一体形成される、請求項２４に記載の改良された殺虫銃。
【請求項２６】
前記取り付け機構は、前記レーザー照準装置を前記銃身の前記末端に取り外し可能に取り付けるように適合される、請求項２４に記載の改良された殺虫銃。
【請求項２７】
前記レーザー照準スポットの照準点のための仰角調節装置および遊隙調節装置をさらに備える、請求項２４に記載の改良された殺虫銃。
【請求項２８】
前記レーザーへの電力を制御する電源スイッチをさらに備える、請求項２４に記載の改良された殺虫銃。
【請求項２９】
前記電源スイッチは前記ハウジングに装着される、請求項２４に記載の改良された殺虫銃。
【請求項３０】
前記電源スイッチは前記トリガと一体であり、前記トリガの初期後方移動が、前記電源スイッチ内の回路を完成させ、それにより、前記圧縮ガス解放機構の作動前に前記レーザー照準スポットを提供する、請求項２４に記載の改良された殺虫銃。
【発明の詳細な説明】
【技術分野】
【０００１】
本発明は、武器類および昆虫制御の分野に関し、特に、有毒化学物質を使用せずに離れた所にいる虫を殺す装置に関する。
【背景技術】
【０００２】
害虫に対処するための多くの方法および装置が開発されてきた。多くの人は、飛翔昆虫に対処することに特に関心があり、これは、飛翔昆虫が、非常に目立ち、時に騒々しく、しばしば刺したり咬んだりする性質を持っているためである。飛翔昆虫を殺す従来の手段として、ハエ叩きやそれに等しい装置、または化学スプレーなどが挙げられる。前者は、実効的にするための一定の技能および機敏性を必要とし、後者は、使用されたエリアに潜在的に有害な残留化学物質を残す。本発明は、それらの問題に対処するとともに、飛翔昆虫を射撃するように構成された銃の形態で、害虫の除去を課せられた人に娯楽を提供する。同様にして害虫除去を可能にするために開発された他の装置として、以下の発明が挙げられる。
【０００３】
Ｋｉｒｓｔｅｎに交付された米国特許第１６１１５３３号明細書は、ハエなどの各種の身近な虫を駆除するために材料のショットまたは小球を放出するばね式小銃型装置が使用される虫射撃装置に向けられる。装置は、リンク機構により動作され、トリガによるばねの作動によって解放されるピストンを有する銃または小銃の形態を成す。前方方向へのピストンの移動は、ショットを保持するノズルを先細になっている銃身の端から最終的に解放させる。ショット保持ノズルが、ハエなどの虫に散布されると虫を駆除する液体を収容する。
【０００４】
Ｃｏｍｐａｒｅｔｔｉに交付された米国特許第４６５３４３３号明細書は、小銃の形態を成し、トリガされた機構により作動されると、柔毛質の動物に普通に見られるノミなどの虫を制御するための粉末材料を解放する、ノミ獲装置に向けられる。ノミ獲装置は、使用者の指で操作されるトリガを有する小銃型ハンドルを有する拳銃の形態を成す。トリガが操作されると、粉末試料が粉末薬室から解放され、銃身部分を通り穴を通って動物に放出される。
【０００５】
Ｓｗｅｅｎｙ等に交付された米国特許第３７９１３０３号明細書は、液体充填中空ボールの形態を成す抑止用弾丸に向けられる。発射物集合体は、散弾銃の端にある大き目の筒状の銃身延長部から発射される。発射物集合体は、破裂するとハエまたは他の虫を制御しうる抑止用弾丸を収容する。
【０００６】
Ｇｅｒａｒｄｏのために発行された米国特許出願公開第２００６／０２８３４３３号明細書は、加圧空気を使用した発射装置に向けられる。装置は、銃のような装置と、空気室を銃身に接続するコネクタの内側の弁を有するトリガを有する空気室とを備える。空気室は、圧縮空気で満たすことができ、銃身から発射される物体を銃に装填した後に、操作者は、トリガの操作により空気室の空気圧が空気室から空気を解放するように弁を開放し、発射物は銃身から解放される。
【０００７】
Ｃｌａｒｋに交付された米国特許第７２０７４９７号明細書は、加圧ガス供給源を利用して乾燥フレークを吹き付けるために使用される乾燥フレークスプレーおよび方法に向けられる。フレーク吹付装置は、スプレーモジュールおよび銃モジュールを含み、スプレーモジュールは、ガス流導管およびフレーク導管を有する筐体を備える。乾燥フレークの供給部が筐体内に配置され、トリガが操作されると銃に接続される。導管を通ってフレークを散布させるガスが制御弁からノズルを通って流れる。
【０００８】
本出願人であるＭａｇｇｉｏｒｅに交付された米国特許第８２５１０５１号明細書は、銃身に接続された薬室に流体接続された圧縮ガス供給源を含む殺虫銃に向けられる。圧縮ガス解放機構が、圧縮ガス供給源に接続される。発射物格納弾倉が、粒子状発射物を格納し、薬室の近傍に配置される。発射物装填機構が、発射物を弾倉から薬室に移動させる。コッキング機構が、圧縮ガス供給源、圧縮ガス解放機構、および発射物装填機構に機械的に接続される。銃床が、圧縮ガス供給源、圧縮ガス解放機構、銃身、薬室、発射物格納弾倉、コッキング機構および発射物装填機構を収容し支持する。銃がコックされると、発射物装填機構は、所定量の粒子状発射物を薬室に装填する。圧縮ガス解放機構が作動されると、発射物は、薬室から銃身に吐出され、銃から放出される。
【先行技術文献】
【特許文献】
【０００９】
【特許文献１】米国特許第１６１１５３３号明細書
【特許文献２】米国特許第４６５３４３３号明細書
【特許文献３】米国特許第３７９１３０３号明細書
【特許文献４】米国特許出願公開第２００６／０２８３４３３号明細書
【特許文献５】米国特許第７２０７４９７号明細書
【特許文献６】米国特許第８２５１０５１号明細書
【発明の概要】
【発明が解決しようとする課題】
【００１０】
本発明のある目的は、飛翔昆虫を殺すための装置を提供することである。さらなる目的は、昆虫を殺すために非毒性手段を使用するような装置を提供することである。本発明のまたさらなる目的は、確実な安全機能を組み込んだ殺虫装置を提供することである。またさらなる目的は、使用が楽しく、動作コストが低い装置を提供することである。最後に、本発明のある目的は、耐久性が高く、低コストであり、使用者が簡単に使いこなせる殺虫装置を提供することである。
【００１１】
先行技術には、本発明の目的の一部が開示されているが、特定された要件の全てを含む発明は見当たらない。
【課題を解決するための手段】
【００１２】
本発明は、先行技術における殺虫銃の発明の欠点の全てに対処し、上述した目的の全てを満たす。
【００１３】
（１）所望の機能を提供する改良された殺虫銃が、以下の部品から構成されうる。圧縮ガス供給源が用意される。薬室が用意される。薬室は、圧縮ガス供給源に流体的に接続される。銃身が用意される。銃身は、薬室の末端に配置される。圧縮ガス解放機構が用意される。解放機構は、圧縮ガス供給源に接続される。発射物格納弾倉が用意される。弾倉は、粒子状発射物を格納し、薬室の近傍に配置される。発射物装填機構が用意される。装填機構は、粒子状発射物を弾倉から薬室内に移動させる。コッキング機構が、圧縮ガス供給源、圧縮ガス解放機構、および発射物装填機構に機械的に接続される。一次自動安全機構が用意される。一次安全機構は、コッキング機構を利用すると作動位置に移動し、使用者により手動で非作動にされると非作動位置に移動する。一次安全機構の状態は、第１の安全位置から第２の発射位置への一次外部安全レバーの移動により示される。銃床が用意される。銃床は、圧縮ガス供給源、圧縮ガス解放機構、銃身、薬室、発射物格納弾倉、コッキング機構および発射物装填機構を収容し支持する。コッキング機構により銃がコックされると、発射物装填機構は、所定量の粒子状発射物を集め、発射物を薬室内に配置する。圧縮ガス解放機構が作動されると、発射物は、薬室から銃身内に吐出され、銃から放出される。
【００１４】
（２）本発明のある変形では、二次安全標示器が用意される。二次安全標示器は、銃のコッキング動作により隠れた位置から見える位置に移動され、圧縮ガス解放機構の作動により隠れた位置に移動される。
【００１５】
（３）別の変形では、圧縮ガス供給源は、充填済みＣＯ２カートリッジ、再充填可能圧縮ガスシリンダ、空気圧送式ガスリザーバ、ばね作動式圧縮ガス室、および外部圧縮ガスラインを含む群から選択される。
【００１６】
（４）また別の変形では、ばね作動式圧縮ガス室はさらにシリンダを含む。シリンダは、前端および後端を有し、前端で薬室に流体的に接続される。ピストンが用意される。ピストンは、シリンダにシール可能に嵌り、その内部に配置される。圧縮ばねが用意される。圧縮ばねは、ピストンを前端に向けて推進する。ばね圧縮機構が用意される。圧縮機構は、ピストンを後端に向けて推進し、圧縮ばねを圧縮する。ラッチ機構が用意される。ラッチ機構は、ピストンを後端の近傍に解放可能に保持し、圧縮ばねを圧縮状態に保持する。使用者が銃のコッキング動作を行い、ばね圧縮機構が動作され、ピストンがシリンダの後端に向けて推進され、ばねが圧縮され、ばねおよびピストンは、解放されるまでラッチ機構により保持され、ピストンをシリンダの前端に向けて素早く移動させることを可能にする。これによって、シリンダ内および接続された薬室への圧縮ガスの噴出がもたらされる。
【００１７】
（５）また別の変形では、圧縮ガス解放機構はさらにトリガを含む。トリガは、トリガ戻りばねにより前方に推進される。トリガは上突起を有する。上突起は内部安全ピボットに係合する。安全ピボットは、コッキング動作が完了しない限りラッチ機構の解放を妨げる。トリガは、上突起の後方に配置された押上ランプを有する。押上ランプは、トリガが後方に移動されると下方推進圧縮ばねに抗してラッチ機構の解放ブラケットを上方に推進する。解放ブラケットは、支持銃床の垂直チャネル内で摺動可能に移動し、下向きリブを有する。リブは、ラッチ機構の主ポールの上向き制御ノッチに解放可能に係合する。
【００１８】
主ポールは、ピストンに取り付けられ、制御ノッチの後ろに配置された上方傾斜ランプを後端に有する。ランプは、リブを制御ノッチ内に案内する。主ポールは、コッキング動作中に支持銃床のチャネル内で後方に移動する。解放ブラケットは、リブが制御ノッチに係合すると主ポールを第１のコック位置に保持する。トリガが後方に移動され、解放ブラケットを押し上げ、制御ノッチからリブを持ち上げると、ブラケットは、主ポールを第２の発射位置に解放する。これによって、主ポールおよびピストンが、圧縮ばねにより推進され前方に移動し、シリンダを加圧することが可能になる。
【００１９】
（６）さらなる変形では、発射物格納弾倉はさらに円錐形容器を含む。容器は、下端に円形穴を有する。下端は、薬室を通る垂直円形穴の上端にシール可能に嵌る。容器は、上端に取り外し可能または枢動可能に取り付けられたシール蓋を有する。
【００２０】
（７）またさらなる変形では、容器の下端は、シールワッシャによって、薬室を通る前記垂直円形穴の上端にシール可能に嵌る。
【００２１】
（８）またさらなる変形では、発射物装填機構はさらに計量ロッドを含む。計量ロッドは、薬室を通る垂直円形穴を通ってシール可能に嵌るようなサイズおよび形状で作られ、ロッドは、その下端から延びる直交作動バーと、作動バーの上方に配置された貫通孔とを有する。貫通孔は、バーおよび計量ロッドに直交し、バーが停止面に接して配置されると薬室と位置合わせされるようなサイズで作られ位置合わせされるように配置される。作動バーは、戻り圧縮ばねにより上方に推進されて、薬室内の垂直円形穴の下端に接して静止する。
【００２２】
貫通孔は、コッキング動作中に円錐形容器内で薬室の上方に配置されると粒子状発射物で満たされる。作動バーは、圧縮ガス解放機構の作動直後に、枢着された従属ポールにより下方に推進されて、停止面に接して静止する。これによって、圧縮ガスに粒子状発射物を薬室から銃身を通って吐出させることが可能になる。
【００２３】
（９）本発明の別の変形では、発射物装填機構はさらに中央薬室管を含む。管は、弾倉の下端から下方に延びる。管の下部分が、戻り圧縮ばねの一端のためのストッパを提供する。軌道ガイドが用意される。ガイドは、弾倉の下端の下方に配置され、管の周りに摺動可能に嵌るようなサイズで作られた中空空洞を有し、第１の所定距離のために下端から下方に延びる垂直スロットを有する。スロットは停止面で終端する。軌道ガイドは、管の周りに配置され、発射物格納弾倉を取り付けるための支持プラットホームを提供する。計量ロッドが用意される。ロッドは、円筒形であり管内に摺動可能に嵌るようなサイズで作られ、その下端から延びる直交作動バーを有する。計量ロッドは、作動バーの上方に配置された貫通孔を有する。貫通孔は、バーおよび計量ロッドに直交し、バーが停止面に接して配置されると薬室と位置合わせされるようなサイズで作られ位置合わせされるように配置される。戻り圧縮ばねは、計量ロッドを上方に推進して、薬室内で垂直円形穴の下端に接して静止させる。従属ポールが用意される。ポールは、第１の端および第２の端を有し、圧縮ガス供給源用のカバーに枢着される。従属ポールの第１の端は計量スロットを含む。計量スロットは作動バーを取り囲む。従属ポールの第２の端は、ガス解放機構が作動するとカムにより上方に推進される。従属ポールの第２の端の上方移動が、作動バーを下方に移動させ、戻り圧縮ばねを圧縮し、計量ロッドの貫通孔を薬室と位置合わせさせる。これによって、圧縮ガスに粒子状発射物を薬室から銃身を通って駆動させることが可能になる。従属ポールの第２の端の下方移動が、作動バーを、戻り圧縮ばねにより推進させ、上方に移動させる。これによって、計量ロッドが、発射物格納弾倉内に移動し、粒子状発射物により取り囲まれると、粒子状発射物が計量ロッドの貫通孔を満たすことが可能になる。
【００２４】
（１０）また別の変形では、ばね圧縮機構はさらに一次ギアラックを含む。ギアラックは、支持銃床のチャネル内に摺動可能に配置され、上面に配置されたギア歯を有し、摺動ハンドルを取り付けるための装着具を前端の近傍に有する。減速ギアドライブが用意される。ギアドライブは、シリンダの外カバーに装着される。二次ギアラックが用意される。二次ラックは、ピストンに間接的に取り付けられ、減速ギアドライブの上方の外カバーのスロット内に摺動可能に配置される。一次ギアラックは減速ギアドライブに係合し、減速ギアドライブは二次ギアラックに係合する。摺動ハンドルの後方移動が、一次ギアラックを後方に移動させ、減速ギアドライブを回転させ、二次ギアラックを後方に移動させ、ピストンを後方に移動させ、圧縮ばねを圧縮する。
【００２５】
（１１）また別の変形では、下方位置決めカムローブが用意される。カムローブは、計量スロットの真下にスロットに直交して配置される。カム作動タブが用意される。タブは、一次ギアラックの上面の側縁および前端の近傍に配置される。作動タブは、湾曲した内面を有する。湾曲した内面は、コッキング機構の動作中に一次ギアラックが後方および前方に移動されると、カムローブの前縁に係合するようなサイズおよび形状で作られ、係合するように配置される。カムローブの係合が、コッキング機構の操作中に計量ロッドの上方移動と、それに続く計量ロッドの下方移動とを生じさせる。そのような移動は、計量ロッドに付着した粒子状発射物を除去する役割を果たす。
【００２６】
（１２）さらなる変形では、コッキング機構の操作中の一次ギアラックの前方移動中におけるカム作動タブによるカムローブの係合が、操作の完了の聴覚確認を可能にする。
【００２７】
（１３）またさらなる変形では、主ポールと共に移動する制御スロットが、制御スロットの後方移動中に内部安全ピボットの第１の端を押上位置に維持する。これによって、下向きノッチを有するピボットの第２の端が、圧縮ガス解放機構のトリガの上端で上突起に係合し、それにより機構の作動を妨げる。制御スロットは、一次ギアラックおよび制御スロットの前方移動が完了すると、内部安全ピボットの下方移動を生じさせる。下方移動が、トリガからの下向きノッチの解放を可能にし、ガス解放機構の作動を可能にする。
【００２８】
（１４）またさらなる変形では、支持銃床はさらに覗窓を含む。覗窓は、弾倉の近傍に配置され、弾倉内に収容された粒子状発射物のレベルの視認を可能にする。
【００２９】
（１５）別の変形では、銃は、充填済みＣＯ２カートリッジを圧縮ガス供給源として使用し、銃はさらに円筒形カートリッジ室を含む。カートリッジ室は、ＣＯ２カートリッジを囲い込むようなサイズおよび形状で作られ、カートリッジを導入するためのシール可能穴を第１の端に有する。第２の端に配置された凹面座部が用意される。座部は、カートリッジの放出端の周りにシール可能に嵌るようなサイズおよび形状で作られる。中空穿刺針が座部内に配置される。シールキャップが用意される。キャップは、嵌合ねじ山によりカートリッジ室に取り外し可能に取り付けられる。キャップを締めることにより穿刺針に抗してカートリッジが推進される。圧力容器が用意される。圧力容器は、計量装置に流体的に接続される。計量装置は、圧縮ガス解放機構が作動すると、所定の充填の圧縮ガスを薬室に進入させることを可能にする。
【００３０】
（１６）また別の変形では、圧縮ガス解放機構はさらにトリガを含む。トリガは、トリガ戻りばねにより前方に推進される。トリガは上突起を有する。上突起は内部安全ピボットに係合する。安全ピボットは、コッキング動作が完了しない限り圧縮ガス解放機構の作動を妨げる。トリガは、上突起の後方に配置された押上ランプを有する。押上ランプは、トリガが後方に移動されると下方推進圧縮ばねに抗してラッチ機構の解放ブラケットを上方に推進する。解放ブラケットは、支持銃床の垂直チャネル内で摺動可能に移動し、下向きリブを有する。リブは、装填ロッドの上向き制御ノッチに解放可能に係合する。装填ロッドは、装填コイルばねにより前方に推進され、制御ノッチの後ろに配置された上方傾斜ランプを後端に有する。ランプは、リブを制御ノッチ内に案内する。
【００３１】
装填ロッドは、コッキング動作中に支持銃床のチャネル内で後方に移動する。解放ブラケットは、リブが制御ノッチに係合すると、装填ロッドを第１のコック位置に保持する。トリガが後方に移動され、解放ブラケットを押し上げ、制御ノッチからリブを持ち上げると、解放ブラケットは、装填ロッドを第２の発射位置に解放する。これによって、装填ロッドが、装填コイルばねにより推進され、前方に移動可能になる。装填ロッドは、発射物装填機構および計量装置を作動させる。
【００３２】
（１７）本発明のまた別の変形では、銃は、空気圧送式空気リザーバを圧縮ガス供給源として使用し、銃はさらにガスシリンダを含む。シリンダは入口弁および出口弁を有する。ピストンが用意される。ピストンは、シリンダ内にシール可能に嵌る。圧送機構が用意される。圧送機構は、ピストンに機械的に連結され、ピストンをシリンダ内で伸張位置から圧縮位置に移動させる。入口弁は、ピストンが圧縮位置から伸張位置に移動するときに開放位置にあり、ピストンが伸張位置から圧縮位置に移動するときに閉鎖位置にある。出口弁は、ピストンが圧縮位置から伸張位置に移動するときに閉鎖位置にあり、ピストンが伸張位置から圧縮位置に移動するときに開放位置にある。
【００３３】
空気リザーバは、出口弁および薬室に流体的に接続される。発射物装填機構は、圧縮ガス解放機構が作動すると、所定の充填の圧縮ガスを薬室に進入させることを可能にする。圧送機構によりピストンがシリンダ内で伸張位置から圧縮位置に反復移動することが、空気リザーバ内の圧力を高め、圧縮ガス解放機構により圧力が解放されると、増大した力で粒子状発射物を薬室から吐出することを可能にする。
【００３４】
（１８）さらなる変形では、圧縮ガス解放機構はさらにトリガを含む。トリガは、トリガ戻りばねにより前方に推進される。トリガは上突起を有する。上突起は内部安全ピボットに係合する。安全ピボットは、コッキング動作が完了しない限り圧縮ガス解放機構の作動を妨げる。トリガは、上突起の後方に配置された押上ランプを有する。押上ランプは、トリガが後方に移動されると下方推進圧縮ばねに抗してラッチ機構の解放ブラケットを上方に推進する。解放ブラケットは、支持銃床の垂直チャネル内で摺動可能に移動し、下向きリブを有する。リブは、装填ロッドの上向き制御ノッチに解放可能に係合する。装填ロッドは、装填コイルばねにより前方に推進され、制御ノッチの後ろに配置された上方傾斜ランプを後端に有する。ランプは、リブを制御ノッチ内に案内する。
【００３５】
装填ロッドは、コッキング動作中に支持銃床のチャネル内で後方に移動する。解放ブラケットは、リブが制御ノッチに係合すると、装填ロッドを第１のコック位置に保持する。トリガが後方に移動され、解放ブラケットを押し上げ、制御ノッチからリブを持ち上げると、解放ブラケットは、装填ロッドを第２の発射位置に解放する。これによって、装填ロッドが、装填コイルばねにより推進され、前方に移動可能になる。装填ロッドは、発射物装填機構を作動させる。
【００３６】
（１９）またさらなる変形では、銃は、再充填可能圧縮ガスシリンダを圧縮ガス供給源として使用する。シリンダは、閉止弁と、第１の端の近傍に配置された取り付け具とを有する。嵌合取り付け具が用意される。嵌合具は、支持銃床に装着され、計量装置に流体的に接続される。計量装置は、薬室に流体的に接続され、圧縮ガス解放機構が作動すると、所定の充填の圧縮ガスを薬室に進入させることを可能にする。充填された再充填可能圧縮ガスシリンダが、嵌合取り付け具に取り付けられ、閉止弁が開放され、圧縮ガスは、圧縮ガス解放機構が作動すると計量装置により解放される。
【００３７】
（２０）またさらなる変形では、圧縮ガス解放機構はさらにトリガを含む。トリガは、トリガ戻りばねにより前方に推進される。トリガは上突起を有する。上突起は内部安全ピボットに係合する。安全ピボットは、コッキング動作が完了しない限り圧縮ガス解放機構の作動を妨げる。トリガは、上突起の後方に配置された押上ランプを有する。押上ランプは、トリガが後方に移動されると下方推進圧縮ばねに抗してラッチ機構の解放ブラケットを上方に推進する。解放ブラケットは、支持銃床の垂直チャネル内で摺動可能に移動し、下向きリブを有する。リブは、装填ロッドの上向き制御ノッチに解放可能に係合する。装填ロッドは、装填コイルばねにより前方に推進され、制御ノッチの後ろに配置された上方傾斜ランプを後端に有する。ランプは、リブを制御ノッチ内に案内する。
【００３８】
装填ロッドは、コッキング動作中に支持銃床のチャネル内で後方に移動する。解放ブラケットは、リブが制御ノッチに係合すると、装填ロッドを第１のコック位置に保持する。トリガが後方に移動され、解放ブラケットを押し上げ、制御ノッチからリブを持ち上げると、解放ブラケットは、装填ロッドを第２の発射位置に解放する。これによって、装填ロッドが、装填コイルばねにより推進され、前方に移動可能になる。装填ロッドは、発射物装填機構および計量装置を作動させる。
【００３９】
（２１）別の変形では、銃は、外部圧縮ガスラインを圧縮ガス供給源として使用し、銃はさらに外部圧縮ガスラインを含む。ラインは、圧縮ガス供給源に接続され、閉止弁と、第１の端の近傍に配置された取り付け具とを有する。嵌合取り付け具が用意される。嵌合具は、支持銃床に装着され、計量装置に流体的に接続される。計量装置は、薬室に流体的に接続される。計量装置は、圧縮ガス解放機構が作動すると、所定の充填の圧縮ガスを薬室に進入させることを可能にする。外部圧縮ガスラインが嵌合取り付け具に取り付けられ、閉止弁が開放され、圧縮ガスは、圧縮ガス解放機構が作動すると計量装置により解放される。
【００４０】
（２２）また別の変形では、圧縮ガス解放機構はさらにトリガを含む。トリガは、トリガ戻りばねにより前方に推進される。トリガは上突起を有する。上突起は内部安全ピボットに係合する。安全ピボットは、コッキング動作が完了しない限り圧縮ガス解放機構の作動を妨げる。トリガは、上突起の後方に配置された押上ランプを有する。押上ランプは、トリガが後方に移動されると下方推進圧縮ばねに抗してラッチ機構の解放ブラケットを上方に推進する。解放ブラケットは、支持銃床の垂直チャネル内で摺動可能に移動し、下向きリブを有する。リブは、装填ロッドの上向き制御ノッチに解放可能に係合する。装填ロッドは、装填コイルばねにより前方に推進され、制御ノッチの後ろに配置された上方傾斜ランプを後端に有する。ランプは、リブを制御ノッチ内に案内する。
【００４１】
装填ロッドは、コッキング動作中に支持銃床のチャネル内で後方に移動する。解放ブラケットは、リブが制御ノッチに係合すると、装填ロッドを第１のコック位置に保持する。トリガが後方に移動され、解放ブラケットを押し上げ、制御ノッチからリブを持ち上げると、解放ブラケットは、装填ロッドを第２の発射位置に解放する。これによって、装填ロッドが、装填コイルばねにより推進され、前方に移動可能になる。装填ロッドは、発射物装填機構および計量装置を作動させる。
【００４２】
（２３）本発明のまた別の変形では、支持銃床の小銃グリップおよび前アームが平坦下面を有する。平坦面は、粒子状発射物を発射物格納弾倉に加えるための直立位置で、殺虫銃がバランスをとることを可能にする。
【００４３】
（２４）本発明のさらなる変形では、改良された殺虫銃はさらにレーザー照準装置を含む。レーザー照準装置はバッテリ駆動式レーザーを含む。レーザーは、レーザー照準スポットを生成することができる。ハウジングが用意される。ハウジングは、レーザー、バッテリ電源およびレーザー用の制御回路を収容するように適合される。取り付け機構が用意される。取り付け機構は、レーザー照準装置を銃身の末端の近傍に取り付けるように適合される。
【００４４】
（２５）またさらなる変形では、取り付け機構は、銃身の末端と一体形成される。
【００４５】
（２６）またさらなる変形では、取り付け機構は、レーザー照準装置を銃身の末端に取り外し可能に取り付けるように適合される。
【００４６】
（２７）別の変形では、レーザー照準装置は、レーザー照準スポットの照準点のための仰角調節装置および遊隙調節装置を含む。
【００４７】
（２８）また別の変形では、電源スイッチが用意される。スイッチは、レーザーへの電力を制御する。
【００４８】
（２９）また別の変形では、電源スイッチはハウジングに装着される。
【００４９】
（３０）本発明の最後の変形では、電源スイッチはトリガと一体である。トリガの初期後方移動が、電源スイッチ内の回路を完成させ、それにより、圧縮ガス解放機構の作動前にレーザー照準スポットを提供する。
【００５０】
添付の図面および好適な実施形態の詳細な説明を参照することによって、本発明の他の目標および目的の認識ならびにその理解が達成されうる。
【図面の簡単な説明】
【００５１】
【図１】弾倉および覗窓の例示を含む、本発明の好適な実施形態の斜視図である。
【図２】小銃グリップおよび前アームの平坦な下面および外部安全装置を例示する、図１の実施形態の側面図である。
【図３】発射位置における発射物装填機構を例示する、図１の実施形態の側断面図である。
【図３Ａ】トリガおよびラッチ機構の詳細を例示する、図１の実施形態の部分側断面図である
【図３Ｂ】発射位置における発射物格納弾倉および発射物装填機構の、３Ｃ−３Ｃ線沿いの直交断面詳細図である。
【図３Ｃ】発射物装填位置における発射物格納弾倉および発射物装填機構の、３Ｃ−３Ｃ線沿いの直交断面詳細図である。
【図４】装填位置における発射物装填機構を例示する、図１の実施形態の側断面図である
【図４Ａ】発射位置における発射物装填機構を下降位置における従属ポールおよび計量スロットとともに例示する、図１の実施形態の拡大側断面図である。
【図４Ｂ】装填位置における発射物装填機構を押上位置における従属ポールおよび計量スロットとともに例示する、図１の実施形態の拡大側断面図である。
【図５】コック位置におけるトリガおよびラッチ機構の詳細をさらに例示し、押上位置における照準／発射準備標示器を例示する、図１の実施形態の部分側断面図である。
【図６】発射位置におけるトリガおよびラッチ機構の詳細をさらに例示し、下降位置における照準／発射準備標示器を例示する、図１の実施形態の部分側断面図である。
【図７】トリガの移動を妨げることを例示する、安全位置における手動安全装置の側断面図である。
【図８】発射前にトリガの移動を妨げないことを例示する、発射位置における手動安全装置の側断面図である。
【図９】発射中のトリガの後方移動を例示する、発射位置における手動安全装置の側断面図である。
【図１０】虫用銃が発射されるときのばね作動式圧縮ガス室を例示する、図１の実施形態の側断面図である。
【図１１】ばね作動式圧縮ガス室をコック位置における虫用銃とともに例示する、図１の実施形態の側断面図である。
【図１２】コック位置における計量装置およびラッチ機構を例示する、虫用銃のＣＯ２駆動実施形態の側断面図である。
【図１３】発射位置における計量装置およびラッチ機構を例示する、虫用銃の図１２の実施形態の側断面図である。
【図１４】シリンダの取り付けおよび計量装置への接続を例示する、虫用銃の再充填可能空気シリンダ駆動実施形態の側断面図である。
【図１５】ガスラインの取り付けおよび計量装置への接続を例示する、虫用銃の外部圧縮ガスライン実施形態の側断面図である。
【図１６】圧送機構および計量装置への弁接続を例示する、虫用銃の空気圧ポンプ駆動実施形態の側断面図である。
【図１７】一体型レーザー照準装置を伴う、図１の実施形態の側面図である。
【図１７Ａ】トリガ操作式オン／オフスイッチの詳細図である。
【図１８】組立体および照準制御装置の詳細を含む、取り外し可能型レーザー照準装置の分解斜視図である。
【発明を実施するための形態】
【００５２】
（１）図１〜図１１は、以下の部品から構成されうる、所望の機能を提供する改良された殺虫銃１０を例示している。図１０および図１１に例示するように、圧縮ガス供給源１４が用意される。薬室１８が用意される。薬室１８は、圧縮ガス供給源１４に流体的に接続される。銃身２２が用意される。銃身２２は、薬室１８の末端２６に配置される。図５および図６に例示するように、圧縮ガス解放機構３０が用意される。解放機構３０は、圧縮ガス供給源１４に接続される。図１〜図４、図１０および図１１に例示するように、発射物格納弾倉３４が用意される。弾倉３４は、粒子状発射物３８を格納し、薬室１８の近傍に配置される。発射物装填機構４２が用意される。装填機構４２は、粒子状発射物３８を弾倉３４から薬室１８内に移動させる。コッキング機構４６が、圧縮ガス供給源１４、圧縮ガス解放機構３０、および発射物装填機構４２に機械的に接続される。図７〜図９に例示するように、一次自動安全機構５４が用意される。一次安全機構５４は、コッキング機構４６を利用すると作動位置６２に移動し、使用者により手動で非作動にされると非作動位置５８に移動する。一次安全機構５４の状態は、図２に例示するように、第１の安全位置７０から第２の発射位置７４への一次外部安全レバー６６の移動により示される。銃床５０が用意される。銃床５０は、圧縮ガス供給源１４、圧縮ガス解放機構３０、銃身２２、薬室１８、発射物格納弾倉３４、コッキング機構４６および発射物装填機構４２を収容し支持する。コッキング機構４６により銃１０がコックされると、発射物装填機構４２は、所定量の粒子状発射物３８を集め、発射物３８を薬室１８内に配置する。圧縮ガス解放機構３０が作動されると、発射物３８は、薬室１８から銃身２２内に吐出され、銃１０から放出される。
【００５３】
（２）本発明のある変形では、図１、図２、図３Ａ、図５および図６に例示するように、二次安全標示器７８が用意される。二次安全標示器７８は、銃のコッキング動作により隠れた位置８２から見える位置８６に移動され、圧縮ガス解放機構３０の作動により隠れた位置８２に移動される。
【００５４】
（３）別の変形では、圧縮ガス供給源１４は、図１２および図１３に例示するような充填済みＣＯ２カートリッジ８８、図１４に例示するような再充填可能圧縮ガスシリンダ９０、図１６に例示するような空気圧送式空気リザーバ９４、図１０および図１１に例示するようなばね作動式圧縮ガス室９８、および図１５に例示するような外部圧縮ガスライン１０２を含む群から選択される。
【００５５】
（４）また別の変形では、図１０および図１１に例示するように、ばね作動式圧縮ガス室９８はさらにシリンダ１０６を含む。シリンダ１０６は、前端１１０および後端１１４を有し、前端１１０で薬室１８に流体的に接続される。ピストン１１８が用意される。ピストン１１８は、シリンダ１０６にシール可能に嵌り、その内部に配置される。圧縮ばね１２２が用意される。圧縮ばね１２２は、ピストン１１８を前端１１０に向けて推進する。ばね圧縮機構１２６が用意される。圧縮機構１２６は、ピストン１１８を後端１１４に向けて推進し、ばね１２２を圧縮する。図５および図６に例示するように、ラッチ機構１３０が用意される。ラッチ機構１３０は、ピストン１１８を後端１１４の近傍に解放可能に保持し、圧縮ばね１２２を圧縮状態１３４に保持する。使用者が銃のコッキング動作を行い、ばね圧縮機構１２６が動作され、ピストン１１８がシリンダ１０６の後端１１４に向けて推進され、ばね１２２が圧縮され、ばね１２２およびピストン１１８は、解放されるまでラッチ機構１３０により保持され、ピストン１１８をシリンダ１０６の前端１１０に向けて素早く移動させることを可能にする。これによって、シリンダ１０６内および接続された薬室１８への圧縮ガス１３８の噴出がもたらされる。
【００５６】
（５）また別の変形では、図５および図６に例示するように、圧縮ガス解放機構３０はさらにトリガ１４２を含む。トリガ１４２は、トリガ戻りばね１４６により前方に推進される。トリガ１４２は上突起１５０を有する。上突起１５０は内部安全ピボット１５４に係合する。安全ピボット１５４は、コッキング動作が完了しない限りラッチ機構１３０の解放を妨げる。トリガ１４２は、上突起１５０の後方に配置された押上ランプ１５８を有する。押上ランプ１５８は、トリガ１４２が後方に移動されると、下方推進圧縮ばね１６６に抗してラッチ機構１３０の解放ブラケット１６２を上方に推進する。解放ブラケット１６２は、支持銃床５０の垂直チャネル１７０内で摺動可能に移動し、下向きリブ１７４を有する。リブ１７４は、ラッチ機構１３０の主ポール１８２の上向き制御ノッチ１７８に解放可能に係合する。
【００５７】
図１０および図１１に例示するように、主ポール１８２は、ピストン１１８に取り付けられ、制御ノッチ１７８の後ろに配置された上方傾斜ランプ１８６を後端１９０に有する。ランプ１８６は、リブ１７４を制御ノッチ１７８内に案内する。主ポール１８２は、図３Ａ、図５および図６に例示するように、コッキング動作中に支持銃床５０のチャネル１９４内で後方に移動する。解放ブラケット１６２は、リブ１７４が制御ノッチ１７８に係合すると主ポール１８２を第１のコック位置１９８に保持する。トリガ１４２が後方に移動され、解放ブラケット１６２を押し上げ、制御ノッチ１７８からリブ１７４を持ち上げると、ブラケット１６２は、主ポール１８２を第２の発射位置２０２に解放する。これによって、主ポール１８２およびピストン１１８が、引張ばね１２２により推進され前方に移動し、シリンダ１０６を加圧することが可能になる。
【００５８】
（６）さらなる変形では、図３Ｂ、図３Ｃ、図１０および図１１に例示するように、発射物格納弾倉３４はさらに円錐形容器２０６を含む。容器２０６は、下端２１４に円形穴２１０を有する。下端２１４は、薬室１８を通る垂直円形穴２２２の上端２１８にシール可能に嵌る。容器２０６は、上端２３０に取り外し可能または枢動可能に取り付けられたシール蓋２２６を有する。
【００５９】
（７）またさらなる変形では、図３Ｃに例示するように、下端２１４は、シールワッシャ２２４によって、薬室１８を通る垂直円形穴２２２の上端２１８にシール可能に嵌る。
【００６０】
（８）またさらなる変形では、図３、図３Ｂ、図３Ｃ、図４、図４Ａ、図４Ｂ、図１０および図１１に例示するように、発射物装填機構４２はさらに計量ロッド２３４を含む。計量ロッド２３４は、薬室１８を通る垂直円形穴２２２を通ってシール可能に嵌るようなサイズおよび形状で作られ、ロッドは、その下端２４２から延びる直交作動バー２３８と、作動バー２３８の上方に配置された貫通孔２４６とを有する。貫通孔２４６は、バー２３８および計量ロッド２３４に直交し、バー２３８が停止面２５０に接して配置されると薬室１８と位置合わせされるようなサイズで作られ位置合わせされるように配置される。作動バー２３８は、戻り圧縮ばね２５４により上方に推進されて、薬室１８内の垂直円形穴２２２の下端２５８に接して静止する。
【００６１】
貫通孔２４６は、コッキング動作中に円錐形容器２０６内で薬室１８の上方に配置されると粒子状発射物３８で満たされる。作動バー２３８は、圧縮ガス解放機構３０の作動直後に、枢着された従属ポール２６２により下方に推進されて、停止面２５０に接して静止する。これによって、圧縮ガス１３８に粒子状発射物３８を薬室１８から銃身２２を通って吐出させることが可能になる。
【００６２】
（９）本発明の別の変形では、発射物装填機構４２はさらに中央薬室管２６６を含む。管２６６は、弾倉３４の下端２５８から下方に延びる。管２６６の下部分２８２が、戻り圧縮ばね２５４の一端２９０のためのストッパ２８６を提供する。軌道ガイド２９８が用意される。ガイド２９８は、弾倉３４の下端２５８の下方に配置され、管２６６の周りに摺動可能に嵌るようなサイズで作られた中空空洞３０２を有し、第１の所定距離３０８のために下端２５８から下方に延びる垂直スロット３０６を有する。スロット３０６は停止面２５０で終端する。軌道ガイド２９８は、管２６６の周りに配置され、発射物格納弾倉３４を取り付けるための支持プラットホーム３１０を提供する。計量ロッド２３４が用意される。ロッド２３４は、円筒形であり管２６６内に摺動可能に嵌るようなサイズで作られ、その下端２４２から延びる直交作動バー２３８を有する。計量ロッド２３４は、作動バー２３８の上方に配置された貫通孔２４６を有する。貫通孔２４６は、バー２３８および計量ロッド２３４に直交し、バー２３８が停止面２５０に接して配置されると薬室１８と位置合わせされるようなサイズで作られ位置合わせされるように配置される。戻り圧縮ばね２５４が、計量ロッド２３４を上方に推進して、薬室１８内で垂直円形穴２２２の下端２５８に接して静止させる。従属ポール２６２が用意される。ポール２６２は、第１の端３１４および第２の端３１８を有し、圧縮ガス供給源１４用のカバー３２２に枢着される。従属ポール２６２の第１の端３１４は、作動バー２３８を取り囲む計量スロット２６４を含む。従属ポール２６２の第２の端３１８は、ガス解放機構３０が作動するとカム３３０により上方に推進される。従属ポール２６２の第２の端３１８の上方移動が、作動バー２３８を下方に移動させ、戻り圧縮ばね２５４を圧縮し、計量ロッド２３４の貫通孔２４６を薬室１８と位置合わせさせる。これによって、圧縮ガス１３８に粒子状発射物３８を薬室１８から銃身２２を通って駆動させることが可能になる。従属ポール２６２の第２の端３１８の下方移動が、作動バー２３８を、戻り圧縮ばね２５４により推進させ、上方に移動させる。これによって、計量ロッド２３４が、発射物格納弾倉３４内に移動し、粒子状発射物３８により取り囲まれると、粒子状発射物３８が計量ロッド２３４の貫通孔２４６を満たすことが可能になる。
【００６３】
（１０）また別の変形では、図３、図４、図４Ａ、図１０および図１１に例示するように、ばね圧縮機構１２６はさらに一次ギアラック３３４を含む。ギアラック３３４は、支持銃床５０のチャネル３３８内に摺動可能に配置され、上面３４６に配置されたギア歯３４２を有し、摺動ハンドル３５８を取り付けるための装着具３５０を前端３５４の近傍に有する。減速ギアドライブ３６２が用意される。ギアドライブ３６２は、シリンダ１０６の外カバー３２２に装着される。二次ギアラック３７０が用意される。二次ラック３７０は、ピストン１１８に間接的に取り付けられ、減速ギアドライブ３６２の上方の外カバー３２２のスロット（不図示）内に摺動可能に配置される。一次ギアラック３３４は減速ギアドライブ３６２に係合し、減速ギアドライブ３６２は二次ギアラック３７０に係合する。摺動ハンドル３５８の後方移動が、一次ギアラック３３４を後方に移動させ、減速ギアドライブ３６２を回転させ、二次ギアラック３７０を後方に移動させ、ピストン１１８を後方に移動させ、圧縮ばね１２２を圧縮する。
【００６４】
（１１）また別の変形では、図４Ａおよび図４Ｂに例示するように、下方位置決めカムローブ２６８が用意される。カムローブ２６８は、計量スロット２６４の真下にスロットに直交して配置される。カム作動タブ２７２が用意される。タブ２７２は、一次ギアラック３３４の上面２８４の側縁２７６および前端２８０の近傍に配置される。作動タブ２７２は、湾曲した内面２８８を有する。湾曲した内面２８８は、コッキング機構４６の動作中に一次ギアラック３３４が後方および前方に移動されると、カムローブ２６８の前縁２９２に係合するようなサイズおよび形状で作られ、係合するように配置される。カムローブ２６８の係合が、コッキング機構４６の動作中に計量ロッド２３４の上方移動と、それに続く計量ロッド２３４の下方移動とを生じさせる。そのような移動は、計量ロッド２３４に付着した粒子状発射物３８を除去する役割を果たす。
【００６５】
（１２）さらなる変形では、コッキング機構４６の動作中における一次ギアラック３３４の前方移動中のカム作動タブ２７２によるカムローブ２６８の係合が、操作の完了の聴覚確認を可能にする。
【００６６】
（１３）またさらなる変形では、図３、図３Ａおよび図４に例示するように、主ポール１８２と共に移動する制御スロット３４８が、前記制御スロット３４８の後方移動中に内部安全ピボット１５４の第１の端３７４を押上位置３７８に維持する。これによって、下向きノッチ３８６を有するピボット１５４の第２の端３８２が、圧縮ガス解放機構３０のトリガ１４２の上端３９０で上突起１５０に係合し、それにより機構３０の作動を妨げる。制御スロット３４８は、一次ギアラック３３４および前記制御スロット３４８の前方移動が完了すると、内部安全ピボット１５４の下方移動を生じさせる。下方移動は、トリガ１４２からの下向きノッチ３８６の解放を可能にし、ガス解放機構３０の作動を可能にする。
【００６７】
（１４）またさらなる変形では、図１および図２に例示するように、支持銃床５０はさらに覗窓４２２を含む。覗窓４２２は、弾倉３４の近傍に配置され、弾倉３４内に収容された粒子状発射物３８のレベル４２６の視認を可能にする
【００６８】
（１５）別の変形では、図１２および図１３に例示するように、銃１０は、充填済みＣＯ２カートリッジ８８を圧縮ガス供給源１４として使用し、銃１０はさらに円筒形カートリッジ室４３４を含む。カートリッジ室４３４は、ＣＯ２カートリッジ８８を囲い込むようなサイズおよび形状で作られ、カートリッジ８８を導入するためのシール可能穴４３８を第１の端４４２に有する。第２の端４５０に配置された凹面座部４４６が用意される。座部４４６は、カートリッジ８８の放出端４５４の周りにシール可能に嵌るようなサイズおよび形状で作られる。中空穿刺針４５８が座部４４６内に配置され、一方向弁４６２が、穿刺針４５８に流体的に接続される。シールキャップ４６６が用意される。キャップ４６６は、嵌合ねじ山４７０によりカートリッジ室４３４に取り外し可能に取り付けられる。キャップ４６６を締めることにより穿刺針４５８に抗してカートリッジ８８が推進される。圧力容器４７４が用意される。圧力容器４７４は、計量装置４７８に流体的に接続される。計量装置４７８は、圧縮ガス解放機構３０が作動すると、圧縮ガス１３８の所定の充填を薬室１８に進入させることを可能にする。
【００６９】
（１６）また別の変形では、図３Ａ、図５、図６、図１２および図１３に例示するように、圧縮ガス解放機構３０はさらにトリガ１４２を含む。トリガ１４２は、トリガ戻りばね１４６により前方に推進される。トリガは上突起１５０を有する。上突起１５０は内部安全ピボット１５４に係合する。安全ピボット１５４は、コッキング動作が完了しない限り圧縮ガス解放機構３０の作動を妨げる。トリガ１４２は、上突起１５０の後方に配置された押上ランプ１５８を有する。押上ランプ１５８は、トリガ１４２が後方に移動されると、下方推進圧縮ばね１６６に抗してラッチ機構１３０の解放ブラケット１６２を上方に推進する。解放ブラケット１６２は、支持銃床５０の垂直チャネル１７０内で摺動可能に移動し、下向きリブ１７４を有する。リブ１７４は、装填ロッド４８６の上向き制御ノッチ４８２に解放可能に係合する。装填ロッド４８６は、装填コイルばね４９０により前方に推進され、制御ノッチ４８２の後ろに配置された上方傾斜ランプ４９４を後端４９８に有する。ランプ４９４は、リブ１７４を制御ノッチ４８２内に案内する。
【００７０】
装填ロッド４８６は、コッキング動作中に支持銃床５０のチャネル（不図示）内で後方に移動する。解放ブラケット１６２は、リブ１７４が制御ノッチ４８２に係合すると、装填ロッド４８６を第１のコック位置５０２に保持する。トリガ１４２が後方に移動され、解放ブラケット１６２を押し上げ、制御ノッチ４８２からリブ１７４を持ち上げると、解放ブラケット１６２は、装填ロッド４８６を第２の発射位置５０６に解放する。これによって、装填ロッド４８６が、装填コイルばね４９０により推進され、前方に移動可能になる。装填ロッド４８６は、発射物装填機構４２および計量装置４７８を作動させる。
【００７１】
（１７）本発明のまた別の変形では、図１６に例示するように、銃１０は、空気圧送式空気リザーバ９４を圧縮ガス供給源１４として使用し、銃１０はさらにガスシリンダ５１４を含む。シリンダ５１４は入口弁５１８および出口弁５２２を有する。ピストン５２６が用意される。ピストン５２６は、シリンダ５１４内にシール可能に嵌る。圧送機構５３０が用意される。圧送機構５３０は、ピストン５２６に機械的に連結され、ピストン５２６をシリンダ５１４内で伸張位置５３４から圧縮位置５３８に移動させる。入口弁５１８は、ピストン５２６が圧縮位置５３８から伸張位置５３４に移動するときに開放位置５４２にあり、ピストン５２６が伸張位置５３４から圧縮位置５３８に移動するときに閉鎖位置（不図示）にある。出口弁５２２は、ピストン５２６が圧縮位置５３８から伸張位置５３４に移動するときに閉鎖位置５５０にあり、ピストン５２６が伸張位置５３４から圧縮位置５３８に移動するときに開放位置（不図示）にある。
【００７２】
空気リザーバ９４は、出口弁５２２および薬室１８に流体的に接続される。発射物装填機構４２は、圧縮ガス解放機構３０が作動すると、圧縮ガス１３８の所定の充填を薬室１８に進入させることを可能にする。圧送機構５３０によりピストン５２６がシリンダ５１４内で伸張位置５３４から圧縮位置５３８に反復移動することが、空気リザーバ９４内の圧力を高め、圧縮ガス解放機構３０により圧力が解放されると、増大した力で粒子状発射物３８を薬室１８から吐出することを可能にする。
【００７３】
（１８）さらなる変形では、図３Ａ、図５、図６、図１２および図１３に例示するように、圧縮ガス解放機構３０はさらにトリガ１４２を含む。トリガ１４２は、トリガ戻りばね１４６により前方に推進される。トリガは上突起１５０を有する。上突起１５０は内部安全ピボット１５４に係合する。安全ピボット１５４は、コッキング動作が完了しない限り圧縮ガス解放機構３０の作動を妨げる。トリガ１４２は、上突起１５０の後方に配置された押上ランプ１５８を有する。押上ランプ１５８は、トリガ１４２が後方に移動されると、下方推進圧縮ばね１６６に抗してラッチ機構１３０の解放ブラケット１６２を上方に推進する。解放ブラケット１６２は、支持銃床５０の垂直チャネル１７０内で摺動可能に移動し、下向きリブ１７４を有する。リブ１７４は、装填ロッド４８６の上向き制御ノッチ４８２に解放可能に係合する。装填ロッド４８６は、装填コイルばね４９０により前方に推進され、制御ノッチ４８２の後ろに配置された上方傾斜ランプ４９４を後端４９８に有する。ランプ４９４は、リブ１７４を制御ノッチ４８２内に案内する。
【００７４】
装填ロッド４８６は、コッキング動作中に支持銃床５０のチャネル４９８内で後方に移動する。解放ブラケット１６２は、リブ１７４が制御ノッチ４８２に係合すると、装填ロッド４８６を第１のコック位置５０２に保持する。トリガ１４２が後方に移動され、解放ブラケット１６２を押し上げ、制御ノッチ４８２からリブ１７４を持ち上げると、解放ブラケット１６２は、装填ロッド４８６を第２の発射位置５０６に解放する。これによって、装填ロッド４８６が、装填コイルばね４９０により推進され、前方に移動可能になる。装填ロッド４８６は、発射物装填機構４２および計量装置４７８を作動させる。
【００７５】
（１９）またさらなる変形では、図１４に例示するように、銃１０は、再充填可能圧縮ガスシリンダ９０を圧縮ガス供給源１４として使用する。シリンダ９０は、閉止弁５７４と、第１の端５８２の近傍に配置された取り付け具５７８とを有する。嵌合取り付け具５８６が用意される。嵌合具５８６は、支持銃床５０に装着され、計量装置４７８に流体的に接続される。計量装置４７８は、薬室１８に流体的に接続され、圧縮ガス解放機構３０が作動すると、圧縮ガス１３８の所定の充填を薬室１８に進入させることを可能にする。充填された再充填可能圧縮ガスシリンダ９０が、嵌合取り付け具５８６に取り付けられ、閉止弁５７４が開放され、圧縮ガス１３８は、圧縮ガス解放機構３０が作動すると計量装置４７８により解放される。
【００７６】
（２０）またさらなる変形では、図３Ａ、図５、図６、図１２および図１３に例示するように、圧縮ガス解放機構３０はさらにトリガ１４２を含む。トリガ１４２は、トリガ戻りばね１４６により前方に推進される。トリガは上突起１５０を有する。上突起１５０は内部安全ピボット１５４に係合する。安全ピボット１５４は、コッキング動作が完了しない限り圧縮ガス解放機構３０の作動を妨げる。トリガ１４２は、上突起１５０の後方に配置された押上ランプ１５８を有する。押上ランプ１５８は、トリガ１４２が後方に移動されると、下方推進圧縮ばね１６６に抗してラッチ機構１３０の解放ブラケット１６２を上方に推進する。解放ブラケット１６２は、支持銃床５０の垂直チャネル１７０内で摺動可能に移動し、下向きリブ１７４を有する。リブ１７４は、装填ロッド４８６の上向き制御ノッチ４８２に解放可能に係合する。装填ロッド４８６は、装填コイルばね４９０により前方に推進され、制御ノッチ４８２の後ろに配置された上方傾斜ランプ４９４を後端４９８に有する。ランプ４９４は、リブ１７４を制御ノッチ４８２内に案内する。
【００７７】
装填ロッド４８６は、コッキング動作中に支持銃床５０のチャネル４９８内で後方に移動する。解放ブラケット１６２は、リブ１７４が制御ノッチ４８２に係合すると、装填ロッド４８６を第１のコック位置５０２に保持する。トリガ１４２が後方に移動され、解放ブラケット１６２を押し上げ、制御ノッチ４８２からリブ１７４を持ち上げると、解放ブラケット１６２は、装填ロッド４８６を第２の発射位置５０６に解放する。これによって、装填ロッド４８６が、装填コイルばね４９０により推進され、前方に移動可能になる。装填ロッド４８６は、発射物装填機構４２および計量装置４７８を作動させる。
【００７８】
（２１）別の変形では、図１５に例示するように、銃１０は、外部圧縮ガスライン１０２を圧縮ガス供給源１４として使用する。ライン１０２は、圧縮ガス供給源５９２に接続され、閉止弁５９４と、第１の端６０２の近傍に配置された取り付け具５９８とを有する。嵌合取り付け具６０６が用意される。嵌合具６０６は、支持銃床５０に装着され、計量装置４７８に流体的に接続される。計量装置４７８は、薬室１８に流体的に接続される。計量装置４７８は、圧縮ガス解放機構３０が作動すると、圧縮ガス１３８の所定の充填を薬室１８に進入させることを可能にする。外部圧縮ガスライン１０２が嵌合取り付け具６０６に取り付けられ、閉止弁５９４が開放され、圧縮ガス１３８は、圧縮ガス解放機構３０が作動すると計量装置４７８により解放される。
【００７９】
（２２）また別の変形では、図３Ａ、図５、図６、図９、図１２および図１３に例示するように、圧縮ガス解放機構３０はさらにトリガ１４２を含む。トリガ１４２は、トリガ戻りばね１４６により前方に推進される。トリガは上突起１５０を有する。上突起１５０は内部安全ピボット１５４に係合する。安全ピボット１５４は、コッキング動作が完了しない限り圧縮ガス解放機構３０の作動を妨げる。トリガ１４２は、上突起１５０の後方に配置された押上ランプ１５８を有する。押上ランプ１５８は、トリガ１４２が後方に移動されると、下方推進圧縮ばね１６６に抗してラッチ機構１３０の解放ブラケット１６２を上方に推進する。解放ブラケット１６２は、支持銃床５０の垂直チャネル１７０内で摺動可能に移動し、下向きリブ１７４を有する。リブ１７４は、装填ロッド４８６の上向き制御ノッチ４８２に解放可能に係合する。装填ロッド４８６は、装填コイルばね４９０により前方に推進され、制御ノッチ４８２の後ろに配置された上方傾斜ランプ４９４を後端４９８に有する。ランプ４９４は、リブ１７４を制御ノッチ４８２内に案内する。
【００８０】
装填ロッド４８６は、コッキング動作中に支持銃床５０のチャネル４９８内で後方に移動する。解放ブラケット１６２は、リブ１７４が制御ノッチ４８２に係合すると、装填ロッド４８６を第１のコック位置５０２に保持する。トリガ１４２が後方に移動され、解放ブラケット１６２を押し上げ、制御ノッチ４８２からリブ１７４を持ち上げると、解放ブラケット１６２は、装填ロッド４８６を第２の発射位置５０６に解放する。これによって、装填ロッド４８６が、装填コイルばね４９０により推進され、前方に移動可能になる。装填ロッド４８６は、発射物装填機構４２および計量装置４７８を作動させる。
【００８１】
（２３）また別の変形では、図２に例示するように、支持銃床５０の小銃グリップ６１０および前アーム６１４が平坦下面６１８、６２２を有する。
平坦面６１８、６２２は、粒子状発射物３８を発射物格納弾倉３４に加えるための直立位置６２６で、改良された殺虫銃１０がバランスをとることを可能にする。
【００８２】
（２４）本発明のさらなる変形では、図１７、図１７Ａおよび図１８に例示するように、改良された殺虫銃１０はさらにレーザー照準装置６３０を含む。レーザー照準装置６３０はバッテリ駆動式レーザー６３４を含む。レーザー６３４は、レーザー照準スポット６３８を生成することができる。ハウジング６４２が用意される。ハウジング６４２は、レーザー６３４、バッテリ電源６４６およびレーザー６３４用の制御回路６５０を収容するように適合される。取り付け機構６５４が用意される。取り付け機構６５４は、レーザー照準装置６３０を銃身２２の末端６５８の近傍に取り付けるように適合される。
【００８３】
（２５）またさらなる変形では、図１７に例示するように、取り付け機構６５４は、銃身２２の末端６５８と一体形成される。
【００８４】
（２６）またさらなる変形では、図１８に例示するように、取り付け機構６５４は、レーザー照準装置６３０を銃身２２の末端６５８に取り外し可能に取り付けるように適合される。
【００８５】
（２７）別の変形では、レーザー照準装置６３０は、レーザー照準スポット６３８の照準点６７０のための仰角調節装置６６２および遊隙調節装置６６６を含む。
【００８６】
（２８）また別の変形では、電源スイッチ６７４が用意される。スイッチ６７４は、レーザー６３４への電力を制御する。
【００８７】
（２９）また別の変形では、電源スイッチ６７４はハウジング６４２に装着される。
【００８８】
（３０）本発明の最後の変形では、図１７および図１７Ａに例示するように、電源スイッチ６７４はトリガ１４２と一体である。トリガ１４２の初期後方移動が、電源スイッチ６７４内の回路６７８を完成させ、それにより、圧縮ガス解放機構３０の作動前にレーザー照準スポット６３８を提供する。
【００８９】
改良された殺虫銃１０について、特定の実施形態を参照して説明してきた。以下の請求項の趣旨および範囲から逸脱せずに、他の変更形態および拡張形態を作ることができる。
【図１】
2019515644.tif 000003
【図２】
2019515644.tif 000004
【図３】
2019515644.tif 000005
【図３Ａ】
2019515644.tif 000006
【図３Ｂ】
2019515644.tif 000007
【図３Ｃ】
2019515644.tif 000008
【図４】
2019515644.tif 000009
【図４Ａ】
2019515644.tif 000010
【図４Ｂ】
2019515644.tif 000011
【図５】
2019515644.tif 000012
【図６】
2019515644.tif 000013
【図７】
2019515644.tif 000014
【図８】
2019515644.tif 000015
【図９】
2019515644.tif 000016
【図１０】
2019515644.tif 000017
【図１１】
2019515644.tif 000018
【図１２】
2019515644.tif 000019
【図１３】
2019515644.tif 000020
【図１４】
2019515644.tif 000021
【図１５】
2019515644.tif 000022
【図１６】
2019515644.tif 000023
【図１７】
2019515644.tif 000024
【図１７Ａ】
2019515644.tif 000025
【図１８】
2019515644.tif 000026
【手続補正書】
【提出日】平成29年10月5日(2017.10.5)
【手続補正１】
【補正対象書類名】特許請求の範囲
【補正対象項目名】全文
【補正方法】変更
【補正の内容】
【特許請求の範囲】
【請求項１】
改良された殺虫銃であって、
圧縮ガス供給源と、
前記圧縮ガス供給源に流体的に接続された薬室と、  前記薬室の末端に配置された銃身とを備え、 前記圧縮ガス供給源は、ばね作動式圧縮ガス室を備え、
前記ばね作動式圧縮ガス室は、
前端および後端を有し、前記前端で前記薬室に流体的に接続されたシリンダと、
前記シリンダにシール可能に嵌り、前記シリンダ内に配置されたピストンと、
前記ピストンを前記前端に向けて推進する圧縮ばねと、
前記ピストンを前記後端に向けて推進し、前記圧縮ばねを圧縮するばね圧縮機構と、
前記ピストンを前記後端の近傍に解放可能に保持し、前記圧縮ばねを圧縮状態に保持するラッチ機構とを備え、
使用者がコッキング機構を操作し、前記ばね圧縮機構が動作され、前記ピストンが前記シリンダの前記後端に向けて推進され、前記ばねが圧縮され、前記ばねおよび前記ピストンが、解放されるまで前記ラッチ機構により保持され、前記ピストンを前記シリンダの前記前端に向けて素早く移動させることを可能にし、前記シリンダ内および接続された前記薬室への圧縮ガスの噴出をもたらし、
前記ばね圧縮機構は、
前記支持銃床のチャネル内に摺動可能に配置された一次ギアラックであって、上面に配置されたギア歯を有し、摺動ハンドルを取り付けるための装着具を前端の近傍に有する一次ギアラックと、
前記シリンダの外カバーに装着された減速ギアドライブと、
前記ピストンに間接的に取り付けられ、前記減速ギアドライブの上方の前記外カバーのスロット内に摺動可能に配置された二次ギアラックとをさらに備え、
前記一次ギアラックは前記減速ギアドライブに係合し、前記減速ギアドライブは前記二次ギアラックに係合し、
前記摺動ハンドルの後方移動が、前記一次ギアラックを後方に移動させ、前記減速ギアドライブを回転させ、前記二次ギアラックを後方に移動させ、前記ピストンを後方に移動させ、前記圧縮ばねを圧縮し、
前記殺虫銃は、前記圧縮ガス供給源に接続された圧縮ガス解放機構と、
粒子状発射物を格納し、前記薬室の近傍に配置された発射物格納弾倉とを備え、
前記発射物格納弾倉は、下端に円形穴を有する円錐形容器を備え、
前記下端は、前記薬室を通る垂直円形穴の上端にシール可能に嵌り、
前記容器は、上端に取り外し可能または枢動可能に取り付けられたシール蓋を有し、
前記殺虫銃は、前記粒子状発射物を前記弾倉から前記薬室内に移動させる発射物装填機構を備え、
前記発射物装填機構は、前記薬室を通る前記垂直円形穴を通ってシール可能に嵌るようなサイズおよび形状で作られた計量ロッドであって、前記計量ロッドの下端から延びる直交作動バーと、前記作動バーの上方に配置された貫通孔とを有し、前記貫通孔が、前記バーおよび前記計量ロッドに直交し、前記バーが停止面に接して配置されると前記薬室と位置合わせされるようなサイズで作られ位置合わせされるように配置される、計量ロッドをさらに備え、 前記作動バーは、戻り圧縮ばねにより上方に推進されて、前記薬室内の前記垂直円形穴の前記下端に接して静止し、 前記貫通孔は、前記コッキング機構の操作中に前記円錐形容器内で前記薬室の上方に配置されると前記粒子状発射物で満たされ、
前記作動バーは、前記圧縮ガス解放機構の作動直後に、枢着された従属ポールにより下方に推進されて、前記停止面に接して静止し、前記圧縮ガスに前記粒子状発射物を前記薬室から前記銃身を通って吐出させることを可能にし、
前記発射物装填機構は、
前記弾倉の下端から下方に延びる中央薬室管と、
戻り圧縮ばねの一端のためのストッパを提供する前記管の下部分と、
前記弾倉の下方に配置された軌道ガイドであって、前記管の周りに摺動可能に嵌るようなサイズで作られた中空空洞と、第１の所定距離のために前記下端から下方に延び、停止面で終端する垂直スロットとを有する軌道ガイドとをさらに備え、
前記軌道ガイドは、前記管の周りに配置され、前記発射物格納弾倉を取り付けるための支持プラットホームを提供し、 前記発射物装填機構は、円筒形であり前記管内に摺動可能に嵌るようなサイズで作られた計量ロッドであって、前記計量ロッドの下端から延びる直交作動バーと、前記作動バーの上方に配置された貫通孔とを有し、前記貫通孔が、前記バーおよび前記計量ロッドに直交し、前記バーが前記停止面に接して配置されると前記薬室と位置合わせされるようなサイズで作られ位置合わせされるように配置される、計量ロッドをさらに備え、
前記戻り圧縮ばねは、前記計量ロッドを上方に推進して、前記薬室内で前記垂直円形穴の前記下端に接して静止させ、
前記発射物装填機構は、第１の端および第２の端を有する従属ポールであって、前記圧縮ガス供給源用のカバーに枢着され、前記第１の端が計量スロットを備え、前記計量スロットが前記作動バーを取り囲み、前記第２の端が、前記ガス解放機構が作動するとカムにより上方に推進される、従属ポールをさらに備え、
前記従属ポールの前記第２の端の上方移動が、前記作動バーを下方に移動させ、前記戻り圧縮ばねを圧縮し、前記計量ロッドの前記貫通孔を前記発射物薬室と位置合わせさせ、前記圧縮ガスに前記粒子状発射物を前記薬室から前記銃身を通って駆動させることを可能にし、 前記従属ポールの前記第２の端の下方移動が、前記作動バーを、前記戻り圧縮ばねにより推進させ、上方に移動させ、前記計量ロッドが、前記発射物格納弾倉内に移動し、前記粒子状発射物により取り囲まれると、前記粒子状発射物が前記計量ロッドの前記貫通孔を満たし、 前記殺虫銃は、前記計量スロットの真下に前記スロットに直交して配置された下方位置決めカムローブと、
前記一次ギアラックの上面の側縁および前端の近傍に配置されたカム作動タブであって、湾曲した内面を有するカム作動タブとをさらに備え、
前記湾曲した内面は、前記コッキング機構の操作中に前記一次ギアラックが後方および前方に移動されると、前記カムローブの前縁に係合するようなサイズおよび形状で作られ、係合するように配置され、
前記カムローブの係合が、前記コッキング機構の操作中に前記計量ロッドの上方移動と、それに続く前記計量ロッドの下方移動とを生じさせ、そのような移動が、前記計量ロッドに付着した粒子状発射物を除去する役割を果たし、 前記コッキング機構は、前記圧縮ガス供給源、前記圧縮ガス解放機構、および前記発射物装填機構に機械的に接続され、
前記殺虫銃は、前記コッキング機構を利用すると作動位置に移動し、使用者により手動で非作動にされると非作動位置に移動する一次自動安全機構であって、前記一次安全機構の状態が、第１の安全位置から第２の発射位置への一次外部安全レバーの移動により示される、一次自動安全機構と、
前記圧縮ガス供給源、前記圧縮ガス解放機構、前記銃身、前記薬室、前記発射物格納弾倉、前記コッキング機構および前記発射物装填機構を収容し支持する銃床とを備え、
前記コッキング機構により前記銃がコックされると、前記発射物装填機構が、所定量の前記粒子状発射物を集め、前記発射物を前記薬室内に配置し、  前記圧縮ガス解放機構が作動されると、前記発射物が、前記薬室から前記銃身内に吐出され、前記銃から放出される、改良された殺虫銃。
【請求項２】
前記コッキング機構を利用すると隠れた位置から見える位置に移動され、前記圧縮ガス解放機構の作動により前記隠れた位置に移動される二次安全標示器をさらに備える、請求項１に記載の改良された殺虫銃。
【請求項３】
前記圧縮ガス解放機構は、
トリガ戻りばねにより前方に推進されるトリガをさらに備え、  前記トリガは上突起を有し、前記上突起は内部安全ピボットに係合し、前記安全ピボットは、前記コッキング機構の操作が完了しない限り前記ラッチ機構の解放を妨げ、
前記トリガは、前記上突起の後方に配置された押上ランプを有し、前記押上ランプは、前記トリガが後方に移動されると下方推進圧縮ばねに抗して前記ラッチ機構の解放ブラケットを上方に推進し、
前記解放ブラケットは、前記支持銃床の垂直チャネル内で摺動可能に移動し、下向きリブを有し、前記リブは、前記ラッチ機構の主ポールの上向き制御ノッチに解放可能に係合し、
前記主ポールは、前記ピストンに取り付けられ、前記制御ノッチの後ろに配置された上方傾斜ランプを後端に有し、前記ランプは、前記リブを前記制御ノッチ内に案内し、前記主ポールは、前記コッキング機構の操作中に前記支持銃床のチャネル内で後方に移動し、
前記解放ブラケットは、前記リブが前記制御ノッチに係合すると前記主ポールを第１のコック位置に保持し、前記トリガが後方に移動され、前記解放ブラケットを押し上げ、前記制御ノッチから前記リブを持ち上げると、前記主ポールを第２の発射位置に解放し、前記主ポールおよび前記ピストンが、前記圧縮ばねにより推進され前方に移動し、前記シリンダを加圧することを可能にする、請求項１に記載の改良された殺虫銃。
【請求項４】
前記円錐形容器の前記下端は、シールワッシャによって、前記薬室を通る前記垂直円形穴の前記上端にシール可能に嵌る、請求項１に記載の改良された殺虫銃。
【請求項５】
前記コッキング機構の操作中の前記一次ギアラックの前方移動中における前記カム作動タブによる前記カムローブの係合が、前記操作の完了の聴覚確認を可能にする、請求項１に記載の改良された殺虫銃。
【請求項６】
主ポールと共に移動する制御スロットが、前記制御スロットの後方移動中に内部安全ピボットの第１の端を押上位置に維持し、下向きノッチを有する前記ピボットの第２の端を、前記圧縮ガス解放機構のトリガの上端で上突起に係合させ、それにより前記機構の作動を妨げ、  前記制御スロットは、前記一次ギアラックおよび前記制御スロットの前方移動が完了すると、前記内部安全ピボットの下方移動を生じさせ、前記下方移動は、前記トリガからの前記下向きノッチの解放を可能にし、前記ガス解放機構の作動を可能にする、請求項１に記載の改良された殺虫銃。
【請求項７】
前記支持銃床は、前記弾倉の近傍に配置された覗窓であって、前記弾倉内に収容された前記粒子状発射物のレベルの視認を可能にする覗窓をさらに備える、請求項１に記載の改良された殺虫銃。
【請求項８】
前記支持銃床の小銃グリップおよび前アームが平坦下面を有し、前記平坦面は、前記粒子状発射物を前記発射物格納弾倉に加えるための直立位置で、前記殺虫銃がバランスをとることを可能にする、請求項１に記載の改良された殺虫銃。
【請求項９】
レーザー照準装置をさらに備え、前記レーザー照準装置は、
レーザー照準スポットを生成することができるバッテリ駆動式レーザーと、
前記レーザー、バッテリ電源および前記レーザー用の制御回路を収容するように適合されたハウジングと、
前記レーザー照準装置を前記銃身の末端の近傍に取り付けるように適合された取り付け機構とを備える、請求項３に記載の改良された殺虫銃。
【請求項１０】
前記取り付け機構は、前記銃身の前記末端と一体形成される、請求項９に記載の改良された殺虫銃。
【請求項１１】
前記取り付け機構は、前記レーザー照準装置を前記銃身の前記末端に取り外し可能に取り付けるように適合される、請求項９に記載の改良された殺虫銃。
【請求項１２】
前記レーザー照準スポットの照準点のための仰角調節装置および遊隙調節装置をさらに備える、請求項９に記載の改良された殺虫銃。
【請求項１３】
前記レーザーへの電力を制御する電源スイッチをさらに備える、請求項９に記載の改良された殺虫銃。
【請求項１４】
前記電源スイッチは前記ハウジングに装着される、請求項９に記載の改良された殺虫銃。
【請求項１５】
前記電源スイッチは前記トリガと一体であり、前記トリガの初期後方移動が、前記電源スイッチ内の回路を完成させ、それにより、前記圧縮ガス解放機構の作動前に前記レーザー照準スポットを提供する、請求項９に記載の改良された殺虫銃。
【国際調査報告】
2019515644.tif 000027
2019515644.tif 000028